(57)【要約】      （修正有）【課題】焼却しても有害物質を出さない材料からなるカードホルダを提供する。【解決手段】透明素材で構成された名札を装着し保持する名札装着保持部２と、当該名札装着保持部の上部に形成され、同じく透明素材で構成された衣服の被取付物を挟持するクリップ部材を取り付けられる開孔部およびまたは首掛けストラップの取付部材を取り付けられる一組の開孔を有する連結部３と、からなるカードホルダ１であって、当該透明素材が透明かつ十分な強度を持つ紙素材である。【選択図】図１
0003227340.tif 000002
【実用新案登録請求の範囲】
【請求項１】
透明素材で構成された名札等を装着し保持する名札装着保持部と、
当該名札装着保持部の上部に形成され、同じく透明素材で構成された衣服等の被取付物を挟持するクリップ部材を取り付けられる開孔部およびまたは首掛けストラップの取付部材を取り付けられる一組の開孔を有する連結部と、からなるカードホルダであって、
当該透明素材が透明かつ十分な強度を持つ紙素材であることを特徴とするカードホルダ。
【考案の詳細な説明】
【技術分野】
【０００１】
パーティー等大人数で会合する場において、各参加者の肩書き、氏名等を表示するため、胸に繋止したり首から提げたりすることにより装着するカードケースにおいて、透明な素材で出来たカードホルダに名刺等を入れて装着することが専ら行われている。
【背景技術】
【０００２】
長い間便利に用いられてきたプラスチックの利用について、近年その問題が提起されている。プラスチックは海洋投棄された場合、海洋で微細化されマイクロプラスチックとなり、海水の有害物質を吸着濃縮し海洋生物が食餌することで生態系への影響が懸念される。世界的に環境に配慮した持続可能な開発目標（ＳＤＧｓ）の法規制の気運も高まり、脱プラスチックのため方法の一つとして生分解性プラスチック材料の採用が検討されているが、原料価格及び生産性の観点からコスト高である。
【０００３】
一方プラスチックを焼却処分した場合、有害物質を発生する恐れがあり、環境負荷低減に配慮するためには、焼却しても有害物質を出さない材料への置き換えが期待されている。
【０００４】
特許文献１には、カードケースが記載されており、特に００１５欄にはエチレン−酢酸ビニル共重合体（ＥＶＡ）で製造された中間層の両面にポリプロピレン（ＰＰ）で製造された保護層を積層することにより形成された三層構造の軟質樹脂シートであることが記載されている。これは通常用いられるカードホルダの代表例であるが、海洋汚染及び焼却時の有害物質の発生の両点において解決が求められている。
【０００５】
特許文献２の請求項１には、透明性を有する生分解性のポリマーからなる表示カード用ホルダーカードケースが記載されている。しかし生分解性プラスチックは高価であると共に、焼却した場合の有害物質の発生の恐れについては解決されていない。
【０００６】
特許文献３の第５頁右下欄４〜１０行には、アルバムにおけるネガポジホルダーボードにセロハン紙を用いることが記載されている。光を透過する紙素材としてセロハン紙は広く知られているが、単体でカードホルダを形成するには強度が不足し、カードの形状保持及び連結部の強化のため、別の材料による補強が必要である。
【先行技術文献】
【特許文献】
【０００７】
【特許文献１】実用新案登録第３１６９２１９号公報
【特許文献２】実用新案登録第３０８６１３８号公報
【特許文献３】特開昭６３−２１１９１号公報
【考案の概要】
【考案が解決しようとする課題】
【０００８】
従来のカードホルダの材料としては、透明性及びそれ自身の強度の点から、透明なプラスチックを用いることが通常行われている。しかし海洋投棄した場合の海洋汚染の問題及び焼却した場合の有害物質の発生の問題から、透明プラスチックをより環境負荷の少ない材料へと変更していくことが望まれている。
【課題を解決するための手段】
【０００９】
本考案は、近年開発された透明かつ十分な強度を持つ紙素材によってカードホルダを形成し、別の素材による補強を必要とせず、単一の紙素材のみを用いることにより上記課題を解決するものである。
【００１０】
より具体的には、上記透明の紙素材としてセルロースナノファイバーを用いることにより上記課題を解決するものである。
【考案の効果】
【００１１】
本考案により、透明かつ十分な強度を持つ紙素材のみにより製造されるため焼却しても環境に有害なガスは発生せず、強度も十分であるため、透明の紙素材以外の材料を用いずに製造することが出来るカードホルダが提供される。
【図面の簡単な説明】
【００１２】
【図１】図１は本考案のカードホルダである。
【考案を実施するための形態】
【００１３】
本考案のカードホルダの材料として、近年開発された透明かつ十分な強度を持つ紙素材をその素材として用いる。
【００１４】
その材料として用いるのは、所望の特性を有する材料であればいずれを使用しても構わないが、中でも最も好適に用いられるのは、セルロースのみで実現され、高透明性で高弾性率、低線熱膨張係数、かつ平坦性や平滑性の高いナノファイバーシートである。（要すれば特開２０１０−７０１０号公報参照）
【００１５】
上記ナノファイバーシートのナノファイバーは、木粉から得られ、木粉としては広葉樹、針葉樹、竹、ケナフ、ヤシなどから調達可能であることから、原材料の価格も抑えられ、直接的に環境破壊を伴う材料も用いていない。したがって焼却しても有害物質の発生させる恐れがない。
【００１６】
次にカードホルダの形状について記載する。
名札装着保持部には、通常名刺等の情報提供部材を挿入、保持し、その表面が透明部材で構成されていることによって情報提供手段が実現される。
【００１７】
連結部は、カードホルダを身体に装着する手段との連結を実現する。胸ポケットにクリップで装着する方法、安全ピンで胸部に装着する方法、ストラップ等で首よりぶら下げる方法など、通常のカードホルダの装着方法が採用できる。
【００１８】
カードホルダの外形としては、通常横長の長方形が用いられることが多いが、これに限らず、縦長の長方形、正方形、円形、楕円形など、情報提供の目的を達成するのであればその形状は自由に選択できる。
【００１９】
カードホルダの情報提供部分以外についてのデザインは自由であり、美的感覚を発揮させるために、情報提供部分の周囲に、カラーによるデザインを施すことも出来る。その実現方法も、カードホルダ表面への直接印刷、情報提供部より大きな印刷済み台紙等の挿入、カードホルダ背面への印刷など通常の方法が選択され得る。
【実施例１】
【００２０】
図１に示すように、セルロースナノファイバーのナノファイバーシートを用い、本考案のカードホルダを製作した。
【００２１】
ナノファイバーシート自身が十分な強度を有するため、補強無しに、衣服等の被取付物を挟持するクリップ部材を取り付けられる開孔部と、首掛けストラップの取付部材を取り付けられる開孔部を有する連結部を形成した。
【産業上の利用可能性】
【００２２】
本考案のカードホルダは、その材料として透明の紙素材を用いるため、焼却しても環境負荷が少なく、その材料も木材から作ることが出来るため、材料選択を含めた製造過程全体を通じて、環境に優しい製品を提供することが出来る。
【符号の説明】
【００２３】
１    カードホルダ
２    名札装着保持部
３    連結部
【図１】
0003227340.tif 000003
【手続補正書】
【提出日】令和2年5月25日(2020.5.25)
【手続補正１】
【補正対象書類名】実用新案登録請求の範囲
【補正対象項目名】全文
【補正方法】変更
【補正の内容】
【実用新案登録請求の範囲】
【請求項１】
透明素材で構成された名札を装着し保持する名札装着保持部と、
当該名札装着保持部の上部に形成され、同じく透明素材で構成された衣服の被取付物を挟持するクリップ部材を取り付けられる開孔部およびまたは首掛けストラップの取付部材を取り付けられる一組の開孔を有する連結部と、からなるカードホルダであって、
当該透明素材が透明かつ十分な強度を持つ紙素材であることを特徴とするカードホルダ。